(57)【特許請求の範囲】
【請求項１】
遊技台に用いる玉の貸し出しに使用されたカードの回収を行なうカード回収システムにおいて、
前記カードに記録されたデータを読み取るカード読み取り手段と、前記カードの回収指示を行なう回収制御手段と、前記カードを斜めに積み重ねて収納するカード収納部と、前記カードが排出されるカード排出口と、前記カード排出口から排出された前記カードを搬送可能な位置まで誘導する排出カード通路とを有する玉貸し機と、
前記排出カード通路によって誘導された前記カードを搬送するカード搬送手段と、
前記カード搬送手段によって搬送された前記カードが回収されるカード回収部と、
を有し、
前記玉貸し機は、前記カードの搬送に不具合が生じていない場合には、前記回収指示を受けた前記カードを前記カード排出口から排出し、前記カードの搬送に不具合が生じている場合には、前記回収指示を受けた前記カードを前記カード収納部に収納することを特徴とするカード回収システム。
【請求項２】
前記排出カード通路には、前記排出カード通路を通過する前記カードを検知する出口センサがさらに設けられ、前記カード回収部には、前記カード回収部に回収される前記カードを検知する入口センサがさらに設けられ、
前記出口センサが前記カードの搬送上の不具合を発見した場合、前記不具合を発見した前記出口センサが設けられている前記玉貸し機、及び前記カードの搬送方向に対し、前記不具合を発見した前記玉貸し機よりも上流側に位置するすべての前記玉貸し機において、その後に前記回収指示を受けた前記カードを前記カード収納部に収納し、
前記入口センサが前記カードの搬送上の不具合を発見した場合、すべての前記玉貸し機において、その後に前記回収指示を受けた前記カードを前記カード収納部に収納することを特徴とする請求項１記載のカード回収システム。
【請求項３】
遊技台に用いる玉の貸し出しに使用されたカードをカード回収部まで搬送するカード搬送手段に前記カードを排出して、前記カードの回収を行なう玉貸し機において、
前記カードに記録されたデータを読み取るカード読み取り手段と、
前記カードの回収指示を行なう回収制御手段と、
前記カードを斜めに積み重ねて収納するカード収納部と、
前記カードが排出されるカード排出口と、
前記カード搬送手段が搬送可能な位置まで、前記カード排出口から排出された前記カードを誘導する排出カード通路と、
を有し、
前記カードの搬送に不具合が生じていない場合には、前記回収指示を受けた前記カードを前記カード排出口から排出し、前記カードの搬送に不具合が生じている場合には、前記回収指示を受けた前記カードを前記カード収納部に収納することを特徴とする玉貸し機。
【発明の詳細な説明】
【０００１】
【発明の属する技術分野】
本発明は、遊技台に用いる玉の貸し出しに使用されたカードの回収を行なうカード回収システム及び玉貸し機に関し、特に、複数の玉貸し機からカードの回収を行なうことが可能なカード回収システム、及びそれを構成する玉貸し機に関する。
【０００２】
【従来の技術】
近年、遊技用の玉の貸し出しを行なう玉貸し機において、玉の貸し出し代金を金額データとして記録したカードを用い、購入する玉の金額換算を行なう玉貸し機が提案されている。このような玉貸し機を用いる場合、まず、利用者は、遊技を行なう金額に応じたカードを購入する。この際、購入したカードには、購入した金額に相当する金額データが記録されることとなる。例えば、利用者が１００００円分の遊技を行なおうとする場合、利用者は１００００円に相当するカードを購入することとなり、この場合、購入したカードには１００００円分に相当する金額データが記録されることとなる。
【０００３】
カードを購入した利用者は、購入したカードを玉貸し機に挿入し、必要な分だけ玉の貸し出しを行なう。この貸し出しに際し、貸し出された玉の代金はカードに記録された金額データから減算されることとなり、このカードによる玉の貸し出しは、カードに記録された金額が玉の貸し出し代金及び手数料を下回るまで行なうことができる。そして、このように玉が購入され、金額データで示される残高が一定値を下回ったカードは、玉貸し機より排出され、利用者に返却されることとなる。
【０００４】
しかし、このように使用済みのカードを利用者に返却する玉貸し機においては、実質、使用済みのカードはすべて廃棄されることとなり、資源の有効利用、及びランニングコストの削減の面において望ましくない。そこで、このような問題を解決する手段として、使用済みのカードを玉貸し機の中に一旦収納し、それらを回収して再利用することができる玉貸し機の提案が行なわれている。また、別の方法として、ベルトコンベア等により、複数の玉貸し機から使用済みのカードを回収し、カードの再利用を図るシステムの提案も行なわれている。
【０００５】
【発明が解決しようとする課題】
しかし、遊技スペースの有効利用が進められる中、玉貸し機が配置される占有幅も制限され、玉貸し機の幅をカードの幅より狭くしなければならない場合も生じている。このようにカードの幅よりも幅が狭い玉貸し機の場合、従来の使用済みのカードを玉貸し機の中に一旦収納する方法では、使用済みのカードを玉貸し機の中に収納することができず、使用済みのカードの回収を行なうことができないという問題点がある。
【０００６】
また、従来の使用済みのカードを玉貸し機の中に一旦収納する方法では、玉貸し機の中に収納されたカードの回収は、店員等が玉貸し機ごとに手作業で行なわなければならず、カード回収に時間と労力を要してしまうという問題点もある。
【０００７】
さらに、従来のベルトコンベア等によって複数の玉貸し機から使用済みのカードを回収する方法では、回収システムの一部にカード詰まり等の不具合が生じた場合、回収システム全体が機能しなくなるという問題点がある。
【０００８】
また、使用済みカードの搬送中に不具合が生じた場合、その不具合が修復されるまでシステム全体を停止しなければならないという問題点もある。
本発明はこのような点に鑑みてなされたものであり、玉貸し機の占有幅が制限される場合であっても使用済みのカードを効率よく回収でき、回収システムの一部に不具合があっても、回収システムを停止させることなく不具合を修復できるカード回収システムを提供することを目的とする。
【０００９】
【課題を解決するための手段】
本発明では上記課題を解決するために、遊技台に用いる玉の貸し出しに使用されたカードの回収を行なうカード回収システムにおいて、前記カードに記録されたデータを読み取るカード読み取り手段と、前記カードの回収指示を行なう回収制御手段と、前記カードを斜めに積み重ねて収納するカード収納部と、前記カードが排出されるカード排出口と、前記カード排出口から排出された前記カードを搬送可能な位置まで誘導する排出カード通路とを有する玉貸し機と、前記排出カード通路によって誘導された前記カードを搬送するカード搬送手段と、前記カード搬送手段によって搬送された前記カードが回収されるカード回収部とを有し、前記玉貸し機は、前記カードの搬送に不具合が生じていない場合には、前記回収指示を受けた前記カードを前記カード排出口から排出し、前記カードの搬送に不具合が生じている場合には、前記回収指示を受けた前記カードを前記カード収納部に収納することを特徴とするカード回収システムが提供される。
【００１０】
ここで、カード読みとり手段は、カードに記録されたデータを読みとり、回収制御手段は、カードの回収指示を行い、カード収納部は、カードを斜めに積み重ねて収納し、カード排出口は、カードを玉貸し機の外部に排出し、排出カード通路は、前記カード排出口から排出された前記カードを搬送可能な位置まで誘導し、カード搬送手段は、排出カード通路によって誘導された前記カードを搬送し、カード回収部は、カード搬送手段によって搬送されたカードを回収する。
【００１１】
また、遊技台に用いる玉の貸し出しに使用されたカードをカード回収部まで搬送するカード搬送手段に前記カードを排出して、前記カードの回収を行なう玉貸し機において、前記カードに記録されたデータを読み取るカード読み取り手段と、前記カードの回収指示を行なう回収制御手段と、前記カードを斜めに積み重ねて収納するカード収納部と、前記カードが排出されるカード排出口と、前記カード搬送手段が搬送可能な位置まで、前記カード排出口から排出された前記カードを誘導する排出カード通路と、を有し、前記カードの搬送に不具合が生じていない場合には、前記回収指示を受けた前記カードを前記カード排出口から排出し、前記カードの搬送に不具合が生じている場合には、前記回収指示を受けた前記カードを前記カード収納部に収納することを特徴とする玉貸し機が提供される。
【００１２】
ここで、カード読み取り手段は、カードに記録されたデータを読み取り、回収制御手段は、前記カードの回収指示を行ない、カード収納部は、前記カードを斜めに積み重ねて収納し、カード排出口は、前記カードを玉貸し機の外部に排出し、排出カード通路は、カード搬送手段が搬送可能な位置まで、前記カード排出口から排出された前記カードを誘導する。
【００１３】
【発明の実施の形態】
以下、本発明の実施の形態を図面を参照して説明する。
図１は、本形態におけるカード回収システム１の概略構成を示した構成図である。
【００１４】
カード回収システム１は、非接触のＩＣカード、プリペイドカード等のカードを情報媒体として遊技用の玉の貸し出しを行なう玉貸し機１０、玉貸し機１０で使用されたカードが玉貸し機１０に内部収納されるカード収納部１１、玉貸し機１０で使用され、玉貸し機１０から排出されたカードを搬送可能な位置まで誘導する排出カード通路１２、排出カード通路１２に設けられ、排出カード通路１２を通過するカードの検知を行なう出口センサ１２ａ、玉貸し機１０から排出され、排出カード通路によって誘導されたカードを搬送するカード搬送手段であるカード搬送レール３、カード搬送レール３によって搬送されたカードが回収されるカード回収部であるカード搬送金庫２、及びカード搬送金庫２に設けられ、カード搬送金庫２に回収されるカードを検知する入口センサ２ａを有している。
【００１５】
ここで、玉貸し機１０は、１つのカード搬送金庫２及びカード搬送レール３に対して複数設置され、複数の玉貸し機１０から排出されたカードが、カード搬送レール３を介して１つのカード搬送金庫２に収集されることとなる。
【００１６】
図２は、カード回収システム１の具体的な構成例を示した斜視図である。
図２の構成例におけるカード回収システム１では、複数設置された遊技台４に１対１で対応した複数の玉貸し機１０が遊技台４間に設置される。これらの複数の玉貸し機１０に対して、１つのカード搬送レール３及びカード搬送金庫２が設置され、各玉貸し機１０から排出されたカードは、各玉貸し機１０に設置された排出カード通路１２によってカード搬送レール３に誘導され、カード搬送レール３は各玉貸し機１０から排出されたカードをカード搬送金庫２に搬送し、カード搬送金庫２は、搬送されたカードを回収する。
【００１７】
図３は、玉貸し機１０の構成を示した断面図であり、図４は、その正面図を示している。ここで、図４の（ａ）は前面パネル１１ｆが閉じた状態を、図４の（ｂ）は前面パネル１１ｆが開いた状態をそれぞれ示している。
【００１８】
玉貸し機１０は、カード２０に記録されたデータの読み取り等を行なうカード読み取り手段であるカードリーダライタ１５、カード２０の回収指示を行なう回収制御手段である制御装置１３、制御装置１３から指示を受け、遊技台への玉供給指示を与える玉供給制御装置１４、カード２０を斜めに積み重ねて収納するカード収納部１１、カード２０を排出するカード排出口１６、及びカード排出口１６から排出されたカード２０を搬送可能な位置まで誘導する排出カード通路１２によって構成されている。
【００１９】
カードリーダライタ１５はカード挿入口１５ａを有し、このカード挿入口１５ａからカード２０が挿入される。
カード収納部１１は、カード収納部１１の外部に配置される開閉可能な扉である前面パネル１１ｆ、カード収納部１１に収納されたカード２０が、カード取り出し口１１ａａから飛び出すことを防止する飛び出し防止手段であるストッパー１１ｇ、引き出されることによって収納したカード２０を外部に運搬する引き出し構造部１１ａ、前面パネル１１ｆを施錠するパネルキー１１ｈ、カード収納部１１にカード２０が収納されているか否か判断するための検出光を発光する有無センサ発光部１１ｂ、有無センサ発光部１１ｂが発光した検出光を検出する有無センサ受光部１１ｃ、収納されたカード２０の収納数が上限に達しているか否か判断するための検出光を発光する上限センサ発光部１１ｄ、及び上限センサ発光部１１ｄが発光した検出光を検出する上限センサ受光部１１ｅによって構成されている。
【００２０】
図５は、本形態における玉貸し機１０の電気的な構成を示した構成図である。
上述したように、玉貸し機１０は、制御装置１３、カードリーダライタ１５、パネルキー１１ｈ、玉供給制御装置１４、出口センサ１２ａ、有無センサ発光部１１ｂ、有無センサ受光部１１ｃ、上限センサ発光部１１ｄ及び上限センサ受光部１１ｅを有している。制御装置１３は、パネルキー１１ｈ、カードリーダライタ１５、玉供給制御装置１４、出口センサ１２ａ、有無センサ発光部１１ｂ、有無センサ受光部１１ｃ、上限センサ発光部１１ｄ及び上限センサ受光部１１ｅとそれぞれ電気的に接続されており、玉供給制御装置１４は、遊技台と電気的に接続されている。さらに、制御装置１３には、店内等に設置された管理コンピュータ４０と電気的に接続されており、管理コンピュータ４０は、入口センサ２ａ、解錠装置３０、及び他の玉貸し機と電気的に接続されている。
【００２１】
次に、図１から図４を用いて、カード回収システム１の動作について説明する。
利用者が玉貸し機１０を用いて遊技用の玉の貸し出しを行なう場合、まず、利用者は、店内に別途設置されたカード販売機等によってカード２０の購入を行なう。ここで購入したカードには、玉の貸し出しに必要な代金が金額データとして記録されている。
【００２２】
カード２０を購入した利用者は、購入したカード２０を玉貸し機１０のカード挿入口１５ａから図３に示すＡ方向に挿入し、挿入されたカード２０はカードリーダライタ１５に取り込まれる。カード２０を取り込んだカードリーダライタ１５は、取り込んだカード２０に記録された金額データを読み込み、その結果を制御装置１３に伝える。
【００２３】
金額データを受け取った制御装置１３は、別途、利用者によって入力指示された玉の貸し出し数等を考慮し、貸し出した玉の代金及び手数料等を金額データから減算し、玉供給制御装置１４に購入した玉の供給指示を与える。玉の供給指示を受け取った玉供給制御装置５は遊技台へ玉の供給指示を与え、この指示を受け取った遊技台は玉の出力を行なう。なお、ここでは、玉の出力自体は遊技台が行なうこととしているが、玉貸し機１０に玉を出力する機構を設け、玉貸し機から玉を出力する構成としてもよい。
【００２４】
一方、玉の貸し出し代金等を減算された金額データは、カードリーダライタ１５に送られ、そこでカード２０に記録されることとなるが、ここで、減算された金額データに相当する金額が１回の玉貸しに必要な金額以下になっている場合、言い換えると、カード２０によって貸し出すことができる玉数が、通常１回の玉貸しで貸し出される玉数以下になっている場合、制御装置１３は、カード２０にによって貸し出すことができる数だけ玉を出力する指示を玉供給制御装置１４に与え、残高分の玉を出力させる。同時に、カード２０の金額データに示される金額を０にし、カード２０を回収する回収指示をカードリーダライタ１５に与える。この指示を受け取ったカードリーダライタ１５は、カード２０の金額データに示される金額を０にするとともに、カード２０をカード排出口１６から、図３に示すＣ方向に排出する。
【００２５】
カード排出口１６から排出されたカード２０は、排出カード通路１２に投入されることとなり、排出カード通路１２に投入されたカード２０は、排出カード通路１２の内壁に沿って自由落下し、カード搬送レール３の上部へ誘導される。カード搬送レール３の上部へ誘導されたカード２０は、カード搬送レール３によって図１に示した搬送方向に搬送され、カード搬送金庫２に回収される。このようにすることによって、各玉貸し機１０における使用済みのカード２０を一括して回収することができる。
【００２６】
上記の通り、カード排出口１６から排出されたカード２０は、排出カード通路１２及びカード搬送レール３を移動し、カード搬送金庫２に回収されることとなるが、この移動中のカード２０は、排出カード通路１２に設置された出口センサ１２ａ、及びカード搬送金庫２に設置された入口センサ２ａによって検知され、その搬送途中でのカード詰まり等の不具合が検出できるようになっている。出口センサ１２ａがカード２０の搬送途中での不具合を検出した場合、この不具合を発見した出口センサ１２ａが設けられている玉貸し機１０、及びカード搬送レール３におけるカード２０の搬送方向に対して不具合を発見した玉貸し機１０よりも上流側に位置するすべての玉貸し機１０でのカード２０の回収を内部収納に切り替える。ここで、内部収納とは、使用済みのカード２０を各玉貸し機１０がそれぞれ有するカード収納部１１に収納することであり、その場合、その玉貸し機１０は、カード排出口１６からのカード排出を行なわない。一方、入口センサ２ａがカード２０の搬送上の不具合を検出した場合、カード搬送金庫２に使用済みのカード２０を搬送するすべての玉貸し機１０でのカード２０の回収を内部収納に切り替える。また、同時に、出口センサ１２ａ或いは入口センサ２ａが検出した不具合は、店員等に通知され、それを知った店員等は、その不具合の処理を行なうこととなる。このようにすることにより、カード回収システム１の搬送経路にカード２０の搬送上の不具合が生じた場合であっても、システム全体の動作を中断することなく、不具合の修復を行なうことが可能となる。
【００２７】
次に、図５を用いて、不具合発生時におけるカード２０の回収切り替え処理について説明する。
出口センサ１２ａがカード２０の搬送上の不具合を検出すると、出口センサ１２ａは、その検知信号を制御装置１３に送る。検知信号を受け取った制御装置１３は、不具合が発生したことを示す信号を管理コンピュータ４０に送るとともに、カードリーダライタ１５へ回収処理の切り替え指令を出す。これを受けたカードリーダライタ１５は、その後、回収指示を受けたカード２０をカード収納部１１へ収納する。一方、不具合が発生したことを示す信号を受け取った管理コンピュータ４０は、カード搬送レール３におけるカード２０の搬送方向に対し、不具合が発生したことを示す信号を送った玉貸し機１０よりも上流側に位置するすべての玉貸し機１０に指令を出し、それらの玉貸し機１０におけるカード２０の回収を内部収納に切り替える。
【００２８】
入口センサ２ａが、カード２０の搬送上の不具合を検出すると、入口センサ２ａは、不具合が発生したことを示す信号を管理コンピュータ４０に送る。この信号を受け取った管理コンピュータ４０は、すべての玉貸し機１０に指令を出し、それらの玉貸し機１０におけるカード２０の回収を内部収納に切り替える。
【００２９】
次に、玉貸し機１０におけるカード２０の内部収納について説明する。
カード２０の内部収納は、カードリーダライタ１５がカード２０を図３に示すＢ方向に自由落下させることによって行なわれ、落下したカード２０はカード収納部１１の引き出し構造部１１ａに収納される。
【００３０】
図６は、図３における引き出し構造部１１ａのＤ−Ｄ断面図、図７は、引き出し構造部１１ａに収納されたカード２０の様子を示した斜視図である。
図６及び図７に示すように、引き出し構造部１１ａは、引き出し構造部１１ａの底面に対して斜めに傾いて配置される平面形状を有する傾斜板１１ａｃと、平面形状を有し、底面に対して垂直に配置され、傾斜板１１ａｃとの組み合わせでＶ字型を形成する垂直板１１ａｂ、及び底面、傾斜板１１ａｃ、垂直板１１ａｂとそれぞれ垂直な位置に配置される平面形状を有する側面板１１ａｄによって構成されている。ここで、傾斜板１１ａｃは、有無センサ発光部１１ｂから出力される検出光を通過させる検出光通過部１１ａｅを有している。
【００３１】
Ｂ方向に落下したカード２０は、この斜めに配置されている傾斜板１１ａｃに沿って倒れこみ、この傾斜板１１ａｃ上に積み重なって配置される。これにより、カード２０は引き出し構造部１１ａの底面に対して斜めに積み重ねられて収納されることとなり、カード２０の幅よりも狭い空間にカード２０の収納を行なうことが可能となる。
【００３２】
図７に示すように、カード２０は、傾斜板１１ａｃ上に重ねられ、その１側面を垂直板１１ａｂによって保持され、また別の１側面を側面板１１ａｄによって保持されて収納される。ここで、収納されるカード２０は、傾斜板１１ａｃ、垂直板１１ａｂ及び側面板１１ａｄの３平面によってのみ保持されており、側面板１１ａｄと向かい合うカード取り出し口１１ａａ側の面からは保持されていない。そこで、このカード取り出し口１１ａａ側の面からカード２０を保持し、カード取り出し口１１ａａからのカード２０飛び出しを防止する手段として、ストッパー１１ｇが配置される。
【００３３】
図３及び図４の（ｂ）に示すように、ストッパー１１ｇは板形状を有しており、その板形状の平面部によって、引き出し構造部１１ａに収納されたカード２０の側面をカード取り出し口１１ａａ側から保持する。ストッパー１１ｇは、その１辺が引き出し構造部１１ａの側面に取りつけられ、その取付け部を回転軸とした回転運動を可能としている。この回転運動によって、ストッパー１１ｇは、その平面部が引き出し構造部１１ａのカード取り出し口１１ａａ側の側面と平行に配置される位置から、垂直に配置される位置まで回転移動することが可能となっている。また、ストッパー１１ｇは、バネ等の弾性体の弾性力によって、その平面部がカード取り出し口１１ａａ側の側面と平行に配置されるように加圧されている。これにより、引き出し構造部１１ａがカード収納部１１に収納された状態においては、常時、ストッパー１１ｇが、引き出し構造部１１ａに収納されたカード２０の側面をカード取り出し口１１ａａ側から保持することとなる。
【００３４】
次に、引き出し構造部１１ａの引き出し動作について説明する。図８に図３におけるカード収納部１１のＥ‐Ｅ断面図を示す。ここで、図８の（ａ）は、引き出し構造部１１ａがカード収納部１１に収納されている状態を示し、図８の（ｂ）は、引き出し構造部１１ａがカード収納部１１から引き出されている状態を示している。
【００３５】
引き出し構造部１１ａの引き出しを行なう場合、まず、カード収納部１１の外部に取付けられた前面パネル１１ｆの開扉が行なわれる。前面パネル１１ｆは板形状を有しており、その板形状の一端を軸とした回転運動を行なうことによって、扉の開閉動作を行なう。また、前面パネル１１ｆはパネルキー１１ｈによって施錠されており、パネルキー１１ｈは、パネルキー１１ｈに鍵を挿入することにより、或いは後述する遠隔操作を行なうことによって解錠することができる。パネルキー１１ｈが解錠され、前面パネル１１ｆが図８の（ａ）に示したＦ方向に開扉されると、次に、引き出し構造部１１ａの引き出し動作に移る。
【００３６】
引き出し構造部１１ａのカード収納部１１外部への引き出しは、カード収納部１１の内部から、前面パネル１１ｆに向かう方向（Ｈ方向）に行なわれる。引き出し構造部１１ａにＨ方向の力が加えられた場合、引き出し構造部１１ａは、そのカード取り出し口１１ａａ側の側面によって、ストッパー１１ｇを内側から外側に向けて加圧する。引き出し構造部１１ａによって加圧されたストッパー１１ｇは、上述した回転軸を中心とした回転運動（Ｇ方向）を行ない、その平面部がカード取り出し口１１ａａ側の側面と垂直になる位置へ回転移動する。これにより、カード取り出し口１１ａａ側を保持していたストッパー１１ｇがカード収納部１１の側面にしまい込まれ、その後さらに引き出し構造部１１ａにＨ方向の力が加えられることにより、引き出し構造部１１ａのカード取り出し口１１ａａが、カード収納部１１の外部に引き出されることとなる（図８（ｂ））。図９及び図１０は、カード取り出し口１１ａａがカード収納部１１の外部に引き出される過程を示したカード収納部１１の詳細斜視図である。ここで、図９は、ストッパー１１ｇが引き出し構造部１１ａに収納されたカード２０の側面をカード取り出し口１１ａａ側から保持し、前面パネル１１ｆが開扉された状態を示し、図１０は、カード取り出し口１１ａａがカード収納部１１の外部に引き出された状態を示している。
【００３７】
次に、カード２０が収納されているか否か判断する有無センサ発光部１１ｂ、有無センサ受光部１１ｃ、及びカード２０の収納数が上限に達しているか否か判断する上限センサ発光部１１ｄ、上限センサ受光部１１ｅの動作について説明する。図１１及び図１２は、有無センサ発光部１１ｂ、有無センサ受光部１１ｃ、上限センサ発光部１１ｄ、及び上限センサ受光部１１ｅの動作を示した図である。
【００３８】
図１１及び図１２に示すように、有無センサ発光部１１ｂはカード収納部１１の底面内側に、有無センサ受光部１１ｃ及び上限センサ受光部１１ｅはカード収納部１１の側面内側に、上限センサ発光部１１ｄはカード収納部１１の上面内側にそれぞれ配置される。これにより、有無センサ発光部１１ｂ及び上限センサ発光部１１ｄからは、収納されるカードの積み重ね方向を斜めに横切る方向に検出光が出力されることとなる。
【００３９】
これらのセンサは、制御装置１３によって制御され、制御装置１３がカードリーダライタ１５に対してカード２０を収納する指示を行なう場合、及び後述する遠隔操作によってパネルキー１１ｈへ解錠指示が与えられた場合に一定期間動作し、有無センサ発光部１１ｂから出力された検出光は有無センサ受光部１１ｃで、上限センサ発光部１１ｄから出力された検出光は上限センサ受光部１１ｅでそれぞれ検出される。
【００４０】
まず、図１１を用いて、カード２０が収納されているか否かを判断する判断方法について説明する。
図１１の（ａ）に示すように、引き出し構造部１１ａにカード２０が収納されていない場合、有無センサ発光部１１ｂから出力された検出光は、引き出し構造部１１ａの検出光通過部１１ａｅを通過して有無センサ受光部１１ｃに達し、そこで検出されることとなる。一方、図１１の（ｂ）に示すように、引き出し構造部１１ａにカード２０が収納された場合、有無センサ発光部１１ｂから出力された検出光は、引き出し構造部１１ａに収納されたカード２０によって遮断され、この検出光が有無センサ受光部１１ｃに達することはない。この場合、有無センサ受光部１１ｃによる検出光の検出は行なわれない。
【００４１】
以上のように、引き出し構造部１１ａにカード２０が収納されていない場合、有無センサ受光部１１ｃは検出光を検出し、カード２０が収納されている場合、有無センサ受光部１１ｃは検出光を検出しないこととなるため、有無センサ受光部１１ｃが検出光を検出するか否かを判断することによって、カード２０が引き出し構造部１１ａにカード２０が収納されているか否かを判断することが可能となる。
【００４２】
次に、図１２を用いて、カード２０の収納数が上限に達しているか否かを判断する判断方法について説明する。
図１２の（ａ）は、収納されたカード２０が収納数の上限に達していない場合を示している。この場合、上限センサ発光部１１ｄから出力された検出光は、上限センサ受光部１１ｅに達し、そこで検出されることとなる。一方、図１２の（ｂ）は、カード２０が収納数の上限に達している場合を示し、この場合、上限センサ発光部１１ｄから出力された検出光は、カード２０によって遮断され、この検出光が上限センサ受光部１１ｅに達することはない。この場合、上限センサ受光部１１ｅによる検出光の検出は行なわれない。
【００４３】
以上のように、収納されたカード２０が収納数の上限に達していない場合、上限センサ受光部１１ｅは検出光を検出し、カード２０が収納数の上限に達している場合、上限センサ受光部１１ｅは検出光を検出しないこととなるため、上限センサ受光部１１ｅが検出光を検出するか否かを判断することによって、収納されたカード２０が収納数の上限に達しているか否かを判断することが可能となる。
【００４４】
次に、図５を用い、上述した有無センサ及び上限センサの判断手順について説明する。
制御装置１３がカードリーダライタ１５に対してカード２０を収納する指示を行なう場合、或いは後述する遠隔操作によってパネルキー１１ｈへ解錠指示が与えられた場合、制御装置１３は上限センサ発光部１１ｄ及び有無センサ発光部１１ｂに対し、一定期間検出光を出力させる指示を行なう。この指示を受け取った上限センサ発光部１１ｄ及び有無センサ発光部１１ｂは検出光を発光し、有無センサ受光部１１ｃ及び上限センサ受光部１１ｅは、それらの検出光の検出結果を制御装置１３に送る。制御装置１３は、有無センサ受光部１１ｃ及び上限センサ受光部１１ｅから受け取った検出結果をもとに、上述した判断方法に従ってカード２０の有無及び収納状態を判断し、その判断結果に応じた各種の処理を行なう。
【００４５】
次に、遠隔操作によって行なわれる複数の玉貸し機１０の一括解錠動作について説明する。
複数の玉貸し機１０の一括解錠動作は、店内に設置された解錠装置３０によって行なわれる。図５に示すように、解錠装置３０は管理コンピュータ４０と電気的に接続されている。解錠装置３０はキー操作等によって解錠信号を出力し、出力された解錠信号は、管理コンピュータ４０に伝えられる。解錠信号を受け取った管理コンピュータ４０は、接続されているすべての玉貸し機１０の制御装置１３に対し解錠信号を送る。解錠信号を受け取った各制御装置１３は、上述した方法によって、カード２０がカード収納部１１に収納されているか否か判断し、カード２０が収納されていると判断した場合、自己が制御するパネルキー１１ｈの解錠を行なう。ここで、カード２０が収納されていないと判断した場合には、パネルキー１１ｈの解錠は行なわない。このようにすることにより、カード２０が内部収納された玉貸し機１０のみパネルキー１１ｈの解錠を複数連動して行なうことが可能となり、解錠作業が簡易化される。なお、ここでは、管理コンピュータ４０がすべての玉貸し機１０に解錠信号を送るとしたが、解錠装置３０による操作等により、一部の玉貸し機１０のみに解錠信号を送る構成としてもよい。
【００４６】
このように、本形態では、玉貸し機１０の内部収納は、カード２０を斜めに積み重ねて行なうこととしたため、玉貸し機１０の幅がカード２０の幅よりも狭い場合であってもカード２０の収納を行なうことができる。
【００４７】
また、制御装置１３によって回収指示を受けた使用済みのカード２０をカード排出口１６から排出し、排出カード通路１２によってカード搬送レール３に誘導し、カード搬送レール３は誘導されたカード２０をカード搬送金庫２に搬送し、カード搬送金庫２は、搬送されたカード２０を回収することとしたため、カード２０の回収作業の効率化を図ることができる。
【００４８】
さらに、カード２０に搬送上の不具合が生じた場合には、カード２０を各玉貸し機１０のカード収納部１１に斜めに積み重ねて内部収納することとしたため、回収システムの一部に不具合が生じた場合であっても、回収システム全体の機能を維持することができる。
【００４９】
また、カード２０に搬送上の不具合が生じた場合には、カード２０を各玉貸し機１０のカード収納部１１に斜めに積み重ねて内部収納することとしたため、カードの搬送中に不具合が生じた場合であっても、回収システムを停止させることなく、不具合の修復を図ることが可能となる。
【００５０】
なお、本形態では、制御装置１３がカード２０の回収指示を行なうたびに、カード２０をカード排出口１６から排出し、排出カード通路１２及びカード搬送レール３を介してカード搬送金庫２に回収し、搬送途中に不具合が生じた場合にのみ、各玉貸し機１０のカード２０の回収を内部収納へ切り替えることとしたが、制御装置１３がカード２０の回収指示を行なうたびに、カード２０をカード収納部１１に内部収納し、カード収納部１１に収納されたカード２０が上限に達した場合にのみ、カード収納部１１に収納されたカード２０を排出し、カード搬送レール３でカード搬送金庫２に回収する構成としてもよい。この場合、カード収納部１１に収納されたカード２０が上限に達したか否かの判断は、上限センサによって行なう。また、カード搬送レール３の稼動は、いずれかの玉貸し機１０がカード収納部１１に収納されたカード２０を排出し、排出されたカード２０がカード搬送金庫２に回収される間のみ稼動することとしてもよい。これにより、ランニングコストの削減を図ることが可能となる。
【００５１】
また、本形態では、カード２０に金額データを記録し、制御装置１３がカード２０に記録された金額データを読み取って、玉の貸し出しを行なう構成としているが、カード２０自身には金額データを記録せず、店内等に設置された管理コンピュータ４０に金額データを記録することとしてもよい。この場合、カード２０には、その利用者を示す識別コード等が記録され、その内容に従って管理コンピュータ４０に記録された利用者ごとの金額データを読み出し、貸し出した玉の代金等に応じて、その金額データを減算することとなる。
【００５２】
さらに、本形態では、有無センサ発光部１１ｂ及び上限センサ発光部１１ｄからの検出光の出力は、制御装置１３がカードリーダライタ１５に対してカード２０を収納する指示を行なう場合、及び遠隔操作によってパネルキー１１ｈへ解錠指示が与えられた場合に一定期間行なわれることとしたが、その他のタイミングで検出光の出力が行なわれることとしてもよい。
【００５３】
【発明の効果】
以上説明したように、本発明のカード回収システムでは、回収制御手段によって回収指示を受けたカードをカード収納部に斜めに積み重ねて収納することとしたため、玉貸し機の幅がカードの幅よりも狭い場合であってもカードの収納を行なうことができる。
【００５４】
また、本発明のカード回収システムでは、回収制御手段によって回収指示を受けたカードをカード排出口から排出し、排出されたカードを排出カード通路で誘導し、誘導されたカードをカード搬送手段によって搬送し、カード回収部に回収することとしたため、カードの回収作業の効率化を図ることができる。
【００５５】
さらに、本発明のカード回収システムでは、回収制御手段によって回収指示を受けたカードをカード収納部に斜めに積み重ねて収納し、或いはカード排出口から排出し、排出されたカードを排出カード通路で誘導し、誘導されたカードをカード搬送手段によって搬送し、カード回収部に回収することとしたため、回収システムの一部に不具合が生じた場合であっても、回収システム全体の機能を維持することができる。
【００５６】
また、本発明のカード回収システムでは、回収制御手段によって回収指示を受けたカードをカード収納部に斜めに積み重ねて収納し、或いはカード排出口から排出し、排出されたカードを排出カード通路で誘導し、誘導されたカードをカード搬送手段によって搬送し、カード回収部に回収することとしたため、カードの搬送中に不具合が生じた場合であっても、回収システムを停止させることなく、不具合の修復を図ることが可能となる。
【００５７】
さらに、本発明の玉貸し機では、回収制御手段によって回収指示を受けたカードをカード収納部に斜めに積み重ねて収納することとしたため、玉貸し機の幅がカードの幅よりも狭い場合であってもカードの収納を行なうことができる。
【図面の簡単な説明】
【図１】カード回収システムの概略構成を示した構成図である。
【図２】カード回収システムの具体的な構成例を示した斜視図である。
【図３】玉貸し機の構成を示した断面図である。
【図４】玉貸し機の正面図である。
【図５】玉貸し機の電気的な構成を示した構成図である。
【図６】図３における引き出し構造部のＤ−Ｄ断面図である。
【図７】引き出し構造部に収納されたカードの様子を示した斜視図である。
【図８】図３におけるカード収納部のＥ‐Ｅ断面図である。
【図９】カード取り出し口がカード収納部の外部に引き出される過程を示したカード収納部の詳細斜視図である。
【図１０】カード取り出し口がカード収納部の外部に引き出される過程を示したカード収納部の詳細斜視図である。
【図１１】有無センサ発光部、有無センサ受光部、上限センサ発光部、及び上限センサ受光部の動作を示した図である。
【図１２】有無センサ発光部、有無センサ受光部、上限センサ発光部、及び上限センサ受光部の動作を示した図である。
【符号の説明】
１  カード回収システム
２  カード搬送金庫
２ａ  入口センサ
３  カード搬送レール
１０  玉貸し機
１１  カード収納部
１１ａ  引き出し構造部
１１ｂ  有無センサ発光部
１１ｃ  有無センサ受光部
１１ｄ  上限センサ発光部
１１ｅ  上限センサ受光部
１１ｆ  前面パネル
１１ｇ  ストッパー
１１ｈ  パネルキー
１２  排出カード通路
１２ａ  出口センサ
１３  制御装置
１６  カード排出口
２０  カード
３０  解錠装置
【図１】
0004556264.tif 000002
【図２】
0004556264.tif 000003
【図３】
0004556264.tif 000004
【図４】
0004556264.tif 000005
【図５】
0004556264.tif 000006
【図６】
0004556264.tif 000007
【図７】
0004556264.tif 000008
【図８】
0004556264.tif 000009
【図９】
0004556264.tif 000010
【図１０】
0004556264.tif 000011
【図１１】
0004556264.tif 000012
【図１２】
0004556264.tif 000013